(57)【要約】【課題】プラント監視制御装置のマンマシン画面表示方式において、ディスプレイに表示されている複数の画面の内、特定の画面の拡大を容易に可能とする方式を提供する。【解決手段】複数の画面を表示するディスプレイ１に対面する人物の顔を撮像するカメラ２を備え、カメラ２には画面と人物の顔との距離を検出する距離検出手段３、この距離と基準距離値とを比較する距離判定手段５、人物の顔の表情特徴検出手段４、表情を特定する表情判定手段６が、ディスプレイ１には画面表示拡大手段７が設けられており、距離判定手段５と表情判定手段６の信号により、画面表示拡大手段７が対面するいずれか１つの画面を拡大する。【選択図】図１
2013222356.tif 000002
【特許請求の範囲】
【請求項１】
プラント監視制御装置のマンマシン画面表示方式において、複数の画面を表示可能なディスプレイと、このディスプレイに対面する人物の顔を撮像するカメラとが備えられており、
前記カメラには、前記複数の画面の内のいずれか１つの画面に対面する前記人物の顔との距離を検出する距離検出手段と、この距離検出手段で検出した距離と予め設定された基準距離値とを比較判定する距離判定手段と、前記人物の顔の表情の特徴を検出する表情特徴検出手段と、この表情特徴検出手段で検出した顔の特徴が特定の表情であると判定する表情判定手段とが設けられており、
前記ディスプレイに設けられた画面表示拡大手段は、前記距離判定手段と前記表情判定手段の出力信号により、前記いずれか１つの画面に表示されている画面を拡大することを特徴とするプラント監視制御装置のマンマシン画面表示方式。
【請求項２】
前記カメラには加えて顔認識手段が設けられており、この顔認識手段は個人毎の前記人物の顔の特徴を比較判定するものであり、この顔認識手段の出力信号と、前記表情判定手段の出力信号および、前記距離判定手段の出力信号とに基づき、前記画面表示拡大手段は前記いずれか１つの画面に表示されている画面を拡大することを特徴とする請求項１に記載のプラント監視制御装置のマンマシン画面表示方式。
【請求項３】
前記カメラには加えて個人を認識する個人認証データベースが設けられており、
前記顔認識手段が個人毎の人物の顔の特徴を比較判定する場合に、前記個人認証データベースに登録された情報と比較して登録されてない場合、前記拡大される画面において予め設定された事項部分が表示されないことを特徴とする請求項２に記載のプラント監視制御装置のマンマシン画面表示方式。
【請求項４】
前記ディスプレイには加えて判定出力記録手段と、画面表示手段とが設けられており、前記判定出力記録手段は、前記距離検出手段および表情判定手段により、特定の表情であると判定した場合の画面を記録するものであり、前記ディスプレイに複数の画面が表示される際に、前記画面表示手段は前記判定出力記録手段に記録している画面と同一の画面の存在の有無を判定し、有の場合、その画面を拡大して表示することを特徴とする請求項１に記載のプラント監視制御装置のマンマシン画面表示方式。
【請求項５】
前記ディスプレイには加えて判定回数記録手段が設けられており、この判定回数記録手段は前記画面表示拡大手段が拡大した画面毎に、その拡大した回数を記録することを特徴とする請求項１に記載のプラント監視制御装置のマンマシン画面表示方式。
【発明の詳細な説明】
【技術分野】
【０００１】
この発明は、発電所などのプラント監視制御装置のマンマシン画面表示方式に関するものであり、特に画面表示の拡大方式に係るものである。
【背景技術】
【０００２】
従来の電子機器に用いられる画面表示制御方式として、カメラ付き携帯端末がキー入力部とユーザのキー入力部の操作等によりビューア等を起動し、画像、文字等を表示可能なＬＣＤと、このＬＣＤ側に設けられたカメラと、音声入力用のマイク等を備え、ビューア起動時にその特徴点の情報の変化により、ＬＣＤの表示画面のスクロール、拡大、縮小等の制御が行われるものが示されている。すなわち画面表示の拡大縮小の方式において、端末の特定キーの押下や、特定キーワードの音声を、画面の拡大縮小の制御の開始、停止のトリガーとしている（例えば、特許文献１参照）。
【先行技術文献】
【特許文献】
【０００３】
【特許文献１】特開２００９−０３１３６８号公報
【発明の概要】
【発明が解決しようとする課題】
【０００４】
しかしながら上記特許文献１に示された技術は、特定キーの押下や特定キーワードの発生が必要であり、画面表示を拡大するには、それらの特定キーや特定のキーワードを記憶しておかねばならない。従って、この技術を発電所などのプラント監視制御装置のマンマシン表示方式に適用しようとすると、プラント監視制御対象の莫大な数の機器類や情報等をプラント制御担当者が記憶するか、または、何らかの形でデータとして収容しておくことが必要であり、プラント運転に支障をきたす、あるいは円滑な運転が行えないという問題点がある。また、上記特許文献１の技術では画面を拡大しても、画面表示項目の見易さを評価して画面表示設計へフィードバックできないという問題点もある。
【０００５】
この発明は、上記のような課題を解決するためになされたものであって、発電所などのプラント監視制御装置のマンマシン画面表示方式において、人物の典型的で自然な動作と表情に基づいて、自動的に画面を拡大し、また人物を特定し、かつ表示する画面を関係者以外へ漏洩するリスクを減らした方式を提供することを目的としている。
【課題を解決するための手段】
【０００６】
この発明に係るプラント監視制御装置のマンマシン画面表示方式は、複数の画面を表示可能なディスプレイと、このディスプレイに対面する人物の顔を撮像するカメラとが備えられており、
カメラには、複数の画面の内のいずれか１つの画面に対面する人物の顔との距離を検出する距離検出手段と、この距離検出手段で検出した距離と予め設定された基準距離値とを比較判定する距離判定手段と、人物の顔の表情の特徴を検出する表情特徴検出手段と、この表情特徴検出手段で検出した顔の特徴が特定の表情であると判定する表情判定手段とが設けられており、
ディスプレイに設けられた画面表示拡大手段は、距離判定手段と表情判定手段の出力信号により、いずれか１つの画面に表示されている画面を拡大するものである。
【発明の効果】
【０００７】
この発明に係るプラント監視制御装置のマンマシン画面表示方式は、上記のような構成を採用しているので、画面に表示されている文字や図形が小さくて識別しにくい場合に、画面に顔を近づけて目を細めるというような典型的で自然な動作と表情によって、自動的に画面が拡大表示されるため、監視すべき意図に合致したスムーズな監視制御が可能となるという効果がある。
【図面の簡単な説明】
【０００８】
【図１】実施の形態１のマンマシン画面表示方式を示すブロック図である。
【図２】実施の形態２のマンマシン画面表示方式を示すブロック図である。
【図３】実施の形態３のマンマシン画面表示方式を示すブロック図である。
【図４】実施の形態４のマンマシン画面表示方式を示すブロック図である。
【図５】実施の形態５のマンマシン画面表示方式を示すブロック図である。
【発明を実施するための形態】
【０００９】
実施の形態１．
以下、この発明の実施の形態１によるプラント監視制御装置のマンマシン画面表示方式を図１に基づいて説明する。
図１において、ディスプレイ１は同じディスプレイ画面上に複数の画面、例えば画面Ａ〜画面Ｄの４個をウィンドウ形式で表示するものである。カメラ２は、前記ディスプレイ１に対面する人物の顔を撮像するものである。カメラ２には以下の手段が設けられている。すなわち距離検出手段３は、前記カメラ２で撮像された内容から、画面と顔との距離を検出する手段であり、表情特徴検出手段４は、前記カメラ２で撮像された内容から、顔の表情の特徴、例えば目を細めた状態や口を開けた状態などを検出する手段である。距離判定手段５は、前記距離検出手段３で検出した画面と顔との距離を基準値と比較判定する手段であり、表情判定手段６は、前記表情特徴検出手段４で検出した顔の表情の特徴が、特定の状態、例えば目を細めた状態かどうかを判定する手段である。ディスプレイ１に設けられた画面表示拡大手段７は、前記ディスプレイ１に表示されている画面を拡大する手段である。
【００１０】
次に動作について説明する。
ディスプレイ１には４個の画面がウィンドウ形式で表示されている。カメラ２は、前記ディスプレイ１に表示された複数の画面の内、図１に示すように、例えば画面Ａに対面する人物の顔を撮像する。距離検出手段３は、前記カメラ２で撮像された内容から、前記ディスプレイ１に表示されている画面Ａと顔との距離を検出する。表情特徴検出手段４は、前記カメラ２で撮像された内容から、顔の表情の典型的な特徴、例えば目を細めた状態や口を開けた状態などを検出する。距離判定手段５は、前記距離検出手段３で検出した画面Ａと顔との距離を、予め設けた基準値と比較判定し、結果を出力する。表情判定手段６は、前記表情特徴検出手段４で検出した顔の表情の特徴が、予め設けた特定の状態、例えば目を細めた状態かどうかを判定し、結果を出力する。画面表示拡大手段７は、前記距離判定手段５で、画面Ａと顔との距離とを比較判定し基準値以下であると判定され、さらに前記表情判定手段６で、顔の表情の特徴が特定の状態であると判定された場合に、前記ディスプレイ１に表示されている画面Ａを拡大する。拡大された画面からの情報が入手されると、ディスプレイ１のクリック操作により画面は縮小される。
このように、上記実施の形態１では、画面と顔との距離が予め設けた基準値以下であり、さらに顔の表情の特徴が予め設けた特定の状態である場合に、画面を拡大するようにしたので、画面に表示されている文字や図形が小さく見えづらい場合に、画面に顔を近づけて目を細めるといった典型的で自然な動作と表情によって自動的に対面する画面が拡大表示されるため、意図に沿ったスムーズなプラント設備の監視、すなわち特定キーや特定キーワードを記憶する必要がなく、プラント設備の監視が行えることが可能となる効果がある。
【００１１】
実施の形態２．
尚、上記実施の形態１では、個人は特定せずに、顔の表情の典型的な特徴が特定の状態、例えば目を細めた状態かどうかを判定して画面を拡大する場合について述べたが、この実施の形態２では図２に示すように、カメラ２には加えて顔認識手段８を設け、前記カメラ２で撮像された内容から、顔の特徴に基づき個人を識別する。そして、距離判定手段５で、前記距離検出手段３で検出した、例えば画面Ａと顔との距離を基準値と比較判定する際に、前記顔認識手段８で識別した個人毎に比較する基準値を設けておく。また、前記表情判定手段６で、前記表情特徴検出手段４で検出した顔の表情の特徴が特定の状態かどうかを判定する際に、前記顔認識手段８で識別した個人毎に、判定する特定の状態を設けておく。
このように、実施の形態２では、人物の顔の特徴に基づき個人を識別し、画面を拡大表示する際の画面と顔との距離や顔の表情の特徴を個人毎に設けるようにしたので、個々人に特有の動作と表情によって自動的に画面が拡大表示されるため、個々人の特性に合わせた、よりスムーズなプラント設備の監視が可能となる効果がある。
【００１２】
実施の形態３．
尚、上記実施の形態１や実施の形態２では、動作と表情によって自動的に画面を拡大する場合について述べたが、この実施の形態３では図３に示すように、ディスプレイ１に判定出力記録手段９を設け、前記距離判定手段５で、画面と顔との距離が基準値以下であると判定され、さらに前記表情判定手段６で、顔の表情の特徴が特定の状態であると判定された場合に、その画面を記録しておく。そして、前記ディスプレイ１に設けられている画面を表示する画面表示手段１０において、画面を表示する際に、前記判定出力記録手段９が記録している画面と同一であるか否かを判定し、当該画面であれば拡大して表示する。
このように、実施の形態３では、動作と表情によって自動的に拡大した画面を記録し、その画面が再度表示された際には自動的に拡大表示するようにしたので、画面に表示されている文字や図形が小さく見えづらい場合に、そのたびごとに同じ動作と表情をする手間を省ける効果がある。
【００１３】
実施の形態４．
尚、上記実施の形態２では、個々人に特有の動作と表情によって自動的に画面を拡大表示する場合について述べたが、この実施の形態４では図４に示すように、カメラ２に個人認証データベース１１を設け、前記顔認識手段８で個人を識別するための情報を予め登録しておく。そして、前記顔認識手段８において、識別した個人が前記個人認証データベース１１に登録されている情報と比較し、登録されていなければ、前記画面表示拡大手段７において、前記ディスプレイ１に表示されている画面を拡大する際に、画面上の例えばバルブの開度等、ノウハウに関する数値部分を塗りつぶし図形に置き換えて表示するか、あるいは予め設定された事項部分を表示しないようにする。
このように、実施の形態４では、予め登録した特定の人以外が画面に顔を近づけて目を細めるといった典型的な動作と表情により画面上の数値データを読み取ろうとした際に、画面上の数値部分は見せなくするようにしたので、関係者以外へ機密データであるノウハウに関する数値や、トラブル発生回数等の機密事項が漏洩するリスクを減らすことができる効果がある。
【００１４】
実施の形態５．
尚、上記実施の形態１や実施の形態２では、動作と表情によって自動的に画面を拡大する場合について述べたが、この実施の形態５では図５に示すように、判定回数記録手段１２を設け、前記距離判定手段５で、画面と顔との距離が基準値以下であると判定され、さらに前記表情判定手段６で、顔の表情の特徴が特定の状態であると判定された場合に、その画面毎に判定された回数を記録しておく。
このように、実施の形態５では、画面毎に、動作と表情によって自動的に拡大した回数を記録するようにしたので、その回数を基に、表示されている文字や図形が見えづらい画面を抽出できるため、画面の文字や図形のサイズやレイアウトを改善すべき対象を容易に抽出でき、画面表示の品質を向上できるという効果がある。
【００１５】
尚、本発明は、その発明の範囲内において、各実施の形態を自由に組み合わせたり、各実施の形態を適宜、変形、省略することができる。
【符号の説明】
【００１６】
１  ディスプレイ、２  カメラ、３  距離検出手段、４  表情特徴検出手段、
５  距離判定手段、６  表情判定手段、８  顔認識手段、９  判定出力記録手段、
１０  画面表示手段、１１  個人認証データベース、１２  判定回数記録手段。
【図１】
2013222356.tif 000003
【図２】
2013222356.tif 000004
【図３】
2013222356.tif 000005
【図４】
2013222356.tif 000006
【図５】
2013222356.tif 000007